(57)【要約】【課題】消費者、販売者、運営者にとって、よりメリットのある販売システムを実現する。【解決手段】本発明にかかる商品販売装置は、販売する商品の第一価格と、第一価格よりも低い第二価格と、商品数量とを含む商品情報を記憶した記憶手段と、割引が適用される割引適用条件が満たされる段階毎に、第一価格を割引して、現在価格を算出する価格算出手段と、ユーザから商品の購入申込みを受け付けて、商品の販売処理を行う販売管理手段と、商品数量と販売処理とに基づいて、商品の残数量を算出する数量算出手段と、商品情報に基づいて、商品を紹介するための商品ページを生成するページ生成手段とを有し、ページ生成手段は、現在価格が第二価格以下の場合、特定ユーザに対し、残数量を含み商品の購入申込みを受付け可能な商品ページを生成し、特定ユーザ以外の非特定ユーザに対し、残数量を含み商品の購入申込みを受付けが制限された商品ページを生成する。【選択図】図１２
2014178729.tif 000002
【特許請求の範囲】
【請求項１】
販売する商品の第一価格と、前記第一価格よりも低い第二価格と、商品数量とを含む商品情報を記憶した記憶手段と、
割引が適用される割引適用条件が満たされる段階毎に、前記第一価格を割引して、現在価格を算出する価格算出手段と、
ユーザから商品の購入申込みを受け付けて、商品の販売処理を行う販売管理手段と、
前記商品数量と前記販売処理とに基づいて、商品の残数量を算出する数量算出手段と、
前記商品情報に基づいて、商品を紹介するための商品ページを生成するページ生成手段とを有し、
前記ページ生成手段は、前記現在価格が前記第二価格以下の場合、
特定ユーザに対し、前記残数量を含み商品の購入申込みを受付け可能な商品ページを生成し、
前記特定ユーザ以外の非特定ユーザに対し、前記残数量を含み商品の購入申込みを受付けが制限された商品ページを生成すること、
を特徴とする商品販売装置。
【請求項２】
前記ページ生成手段は、前記現在価格が前記第二価格以下の場合、
特定ユーザに対し、さらに、前記現在価格と、次回の割引適用条件とを含む商品ページを生成し、
前記特定ユーザ以外の非特定ユーザに対し、さらに、次回の割引適用条件を含む商品ページを生成すること、
を特徴とする請求項１記載の商品販売装置。
【請求項３】
前記割引適用条件は、
少なくとも、商品ページの閲覧数が所定数を越える毎、閲覧数が所定増加率を越える度、所定時間を経過する毎、商品販売数量が所定数を越える毎、又は商品販売数量が所定増加率を超える毎の、何れかであること、
を特徴とする請求項１又は２記載の商品販売装置。
【請求項４】
前記第二価格は、市場の最安価格であること、
を特徴とする請求項１ないし３何れか一項記載の商品販売装置。
【請求項５】
前記非特定ユーザに対し、前記特定ユーザへの登録を行う登録手段を有し、
前記ページ生成手段は、前記現在価格が前記第二価格以下の場合、
前記非特定ユーザに対し、さらに、特定ユーザへの登録申込みを受付可能な商品ページを生成すること、
を特徴とする請求項１ないし４何れか一項記載の商品販売装置。
【請求項６】
前記数量算出手段は、前記非特定ユーザから特定ユーザへの登録申込みを受け付けた場合、登録事項入力前に対象商品の残数量を１つ減算すること、
を特徴とする請求項５記載の商品販売装置。
【請求項７】
前記現在価格が前記第二価格以下の場合、商品が販売される毎、前記現在価格と前記第二価格との差額を算出し、差額を記録する販売管理手段を有すること、
を特徴とする請求項１ないし６何れか一項記載の商品販売装置。
【請求項８】
商品販売装置が、
販売する商品の第一価格と、前記第一価格よりも低い第二価格と、商品数量とを含む商品情報を記憶する手順と、
割引が適用される割引適用条件が満たされる段階毎に、前記第一価格を割引して、現在価格を算出するする手順と、
ユーザから商品の購入申込みを受け付けて、商品の販売処理を行う手順と、
前記商品数量と前記販売処理とに基づいて、商品の残数量を算出する数量算出手段と、
前記商品情報に基づいて、商品を紹介するための商品ページを生成する手順とを有し、
前記生成するする手順は、前記現在価格が前記第二価格以下の場合、
特定ユーザに対し、前記残数量を含み商品の購入申込みを受付け可能な商品ページを生成し、
前記特定ユーザ以外の非特定ユーザに対し、前記残数量を含み商品の購入申込みを受付けが制限された商品ページを生成すること、
を特徴とする商品販売方法。
【発明の詳細な説明】
【技術分野】
【０００１】
本発明は、商品販売装置及び商品販売方法の技術に関する。
【背景技術】
【０００２】
近年、インターネットオークション（ネットオークションという）が広く普及している。オークションサイト上で、出品者が商品を出品すると、購入希望者同士が入札金額を入力するにつれ、金額が上昇してゆき、最終的に最も高い入札金額で入札した購入希望者が出品商品を落札する仕組みである。
【０００３】
また一方、プライスダウン型のネットオークションも知られている。オークションサイト上で、出品者は所定数量の商品を出品し、例えば、購入希望者が所定人数以上集まると、販売価格を値引きする仕組みである。このようなプライスダウン型のネットオークションは、商品のボリュームディスカウントを利用した販売システムといえる。一般に、一定数の販売量が見込める場合、仕入れ価格や販売コストが低下し、その分、出品者は商品を安価な価格で販売できるからである。
【０００４】
これに関する技術として、例えば、特許文献１には、販売見込み数量によって値引率を変動する販売システムが記載されている。具体的に、この販売システムでは、商品の販売数量が変動すると、それに応じて販売価格も変動する。購入希望個数が一定数増加毎に一定の割引率や定額の値引きなどとし、最終的に販売価格を決定する。
【先行技術文献】
【特許文献】
【０００５】
【特許文献１】特開２００１−１９５４６０号公報
【発明の概要】
【発明が解決しようとする課題】
【０００６】
ここで、プライスダウン型のネットオークションは、商品のボリュームディスカウントを利用しているとはいえ、通常の場合、販売者（出品者）は、仕入れ価格を割るような価格で販売することは困難である。つまり、販売者は、仕入れ価格を割ることはない価格で、全商品を完売したいという要望がある。
【０００７】
その一方、近年、インターネット上の情報などにより、消費者は商品の最安値の情報を把握し易くなっており、商品価格に対する消費者の目は厳しさを増しているという現状がある。このため、消費者のより安く商品を手入れたいという要望がある以上、より魅力的な販売システムが望まれる。
【０００８】
また一方、ネットオークションの販売システムを運営する運営者にとっては、出品者と消費者の両方にとって、より魅力ある販売システムを提供したい、また、より多くの会員（ユーザ）を獲得したいという要望がある。
【０００９】
本発明は上記の点に鑑み提案されたものであり、その目的とするところは、消費者、販売者、運営者にとって、よりメリットのある販売システムを実現することにある。
【課題を解決するための手段】
【００１０】
上記の課題を解決するため、本発明にあっては、販売する商品の第一価格と、前記第一価格よりも低い第二価格と、商品数量とを含む商品情報を記憶した記憶手段と、割引が適用される割引適用条件が満たされる段階毎に、前記第一価格を割引して、現在価格を算出する価格算出手段と、ユーザから商品の購入申込みを受け付けて、商品の販売処理を行う販売管理手段と、前記商品数量と前記販売処理とに基づいて、商品の残数量を算出する数量算出手段と、前記商品情報に基づいて、商品を紹介するための商品ページを生成するページ生成手段とを有し、前記ページ生成手段は、前記現在価格が前記第二価格以下の場合、特定ユーザに対し、前記残数量を含み商品の購入申込みを受付け可能な商品ページを生成し、前記特定ユーザ以外の非特定ユーザに対し、前記残数量を含み商品の購入申込みを受付けが制限された商品ページを生成する。
【発明の効果】
【００１１】
本発明の実施の形態によれば、消費者、販売者、運営者にとって、よりメリットのある販売システムを実現することができる。
【図面の簡単な説明】
【００１２】
【図１】商品販売システムのネットワーク構成図である。
【図２】商品販売サーバ１のハードウェア構成例を示す図である。
【図３】商品販売サーバ１のソフトウェア構成例を示す図である。
【図４】ユーザ管理ＤＢ１０１ａのデータ構成例を示す図である。
【図５】本発明の一実施形態にかかる商品管理ＤＢ１０１ｂのデータ構成例を示す図である。
【図６】ページ管理ＤＢ１０１ｃのデータ構成例を示す図である。
【図７】販売管理ＤＢ１０１ｄのデータ構成例を示す図である。
【図８】商品販売サイトの商品販概要１を示す図である。
【図９】商品販売サイトの商品販概要２を示す図である。
【図１０】商品販売サイトの商品ページの画面例１である。
【図１１】商品販売サイトの商品ページの画面例２である。
【図１２】商品販売サイトの商品ページの画面例３である。
【図１３】商品販売サイトの商品ページの画面例４である。
【図１４】価格と会員ステータスとの関係を説明する図である。
【図１５】販売サーバ１のページ生成処理例を示すシーケンス図である。
【発明を実施するための形態】
【００１３】
以下、本発明の好適な実施形態につき説明する。
【００１４】
＜構成＞
（ネットワーク構成）
図１は、本発明の一実施形態にかかる商品販売システムのネットワーク構成図である。商品販売システムは、商品販売サーバ１、販売者端末２、ユーザ端末３が、ネットワーク４を介して接続される。
【００１５】
商品販売サーバ１は、商品販売サイト（例えば、ネットオークションサイト）の運営者が管理するサーバであり、ネット上での商品販売を実現・運営するサーバである。商品販売サーバ１は、Ｗｅｂサーバを兼ねており、例えば、商品販売サイト上で、商品の販売者が販売したい商品を紹介すると共に、商品を購入しようとするユーザのユーザ端末３から商品購入の申し込みを受け付ける。
【００１６】
販売者端末２は、商品販売サイトで商品販売を行う事業者の端末である。販売者は、商品販売サイトで商品を販売したい場合、商品販売サイトの運営者に対し、商品販売の申し込みを行う。運営者は、商品販売の申し込みを受け、販売サイト上、商品の販売者が販売したい商品を紹介する（アップする）。また、ユーザより、商品販売サイトを通じて、商品購入の申し込みがあった場合、決済、商品購入の発送等を行う。
【００１７】
なお、販売者は、商品販売の申し込み時、運営者に対し、「商品名」や「商品詳細」などの商品情報に加え、商品の「販売数量」、「開始価格」、「最安価格」等を示しておく（詳細後述）。
【００１８】
ユーザ端末３は、商品販売サイトで商品購入を行う購入者（以下、ユーザという）の端末である。ユーザは、商品販売サイトにアクセスし、紹介されている商品を購入したい場合、商品販売サイトを通じて、商品購入の申し込みを行う。
【００１９】
なお、ユーザ端末３は、ネットワーク４を介し商品販売サーバ１にアクセス可能な端末である。このため、ユーザ端末３は、ＰＣ（Personal Computer）、スマートフォン、携帯電話等の情報処理機器から構成される。また、例えば、商品販売サイトを閲覧するためのＷｅｂブラウザなどのアプリケーションを備える。
【００２０】
ネットワーク４は、有線、無線を含むネットワークで、例えば、商品販売サーバ１、販売者端末２、ユーザ端末３を相互に接続するインターネット網である。
【００２１】
（ハードウェア構成）
図２は、本発明の一実施形態にかかる商品販売サーバ１のハードウェア構成例を示す図である。具体的に、これらハードウェア構成は、一般的なパソコンやワークステーションなどと同様の構成であり、図に示されるように、ＣＰＵ（Central Processing Unit）１１と、ＲＯＭ（Read Only Memory）１２と、ＲＡＭ（Random Access Memory）１３と、入力装置１４と、出力装置１５と、通信装置１６と、ＨＤＤ（Hard Disk Drive）１７とを有する。
【００２２】
ＣＰＵ１１は、各種プログラムの実行や演算処理を行う。ＲＯＭ１２は、起動時に必要なプログラムなどが記憶されている。ＲＡＭ１３は、ＣＰＵ１１での処理を一時的に記憶したり、データを記憶したりする。入力装置１４は、キーボードやマウスである。出力装置１５は、ディスプレイである。通信装置１６は、ネットワーク４を介し他装置との通信を行う。ＨＤＤ１７は、各種データ及びプログラムを格納する。
【００２３】
（ソフトウェア構成）
図３は、本発明の一実施形態にかかる商品販売サーバ１のソフトウェア構成例を示す図である。
【００２４】
まず、商品販売サーバ１は、機能部として、記憶部１０１、ユーザ管理部１０２、ページ生成部１０３、販売管理部１０４を有する。
【００２５】
記憶部１０１は、ユーザ管理ＤＢ１０１ａ、商品管理ＤＢ１０１ｂ、ページ管理ＤＢ１０１ｃ、販売管理ＤＢ１０１ｄなどを記憶する機能を有している。各ＤＢの詳細は後述する。
【００２６】
ユーザ管理部１０２は、ユーザ管理ＤＢ１０１ａを用いて、商品販売サイトを利用して商品を購入しようとするユーザ（会員）を管理する。具体的には、ユーザ管理ＤＢ１０１ａを用い、ユーザの属性情報を管理する。また、本実施形態にかかる商品販売サイトで、商品を購入しようとする場合、ユーザ・ログインが必要である。このため、ユーザ管理部１０２は、ユーザが商品販売サイトにログイン中であるかのログイン状態を管理する。
【００２７】
ページ生成部１０３は、ページ管理ＤＢ１０１ｃを用いて、商品販売サイトにおいて、商品を購入するための商品ページ（商品紹介ページ）を生成する。ユーザは、生成された商品ページ上で紹介される商品や価格等を参照の上、商品を購入する。商品ページの詳細は、具体例を挙げて後述する。
【００２８】
また、ページ生成部１０３は、商品管理ＤＢ１０１ｂや販売管理ＤＢ１０１ｄを用いて、ページ管理ＤＢ１０１ｃを更新（アップデート）することにより、商品ページを管理するページ管理部としての機能も有する。
【００２９】
販売管理部１０４は、販売管理ＤＢ１０１ｄを用いて、商品販売サイトの商品ページから商品購入画面で購入申し込みを受けた場合、商品の販売処理（販売管理）を行う。例えば、ユーザにより商品が購入された場合には、購入ユーザ、価格など、商品の購入記録を行う。
【００３０】
なお、これらの機能部は、商品販売サーバ１を構成するコンピュータのＣＰＵ、ＲＯＭ、ＲＡＭ等のハードウェア資源上で実行されるコンピュータプログラムによって実現されるものである。但し、これらの機能部は、「手段」、「モジュール」、「ユニット」、又は「回路」に読替えてもよい。
【００３１】
商品販売サーバ１の各機能部は、単一のコンピュータ上に配置される必要はなく、必要に応じて分散される形態であってもよい。例えば、ユーザ管理部１０２は、別のユーザ管理を行うサーバに、販売管理部１０４は、別の販売管理（売上管理）を行うサーバで実現されてもよい。
【００３２】
また、記憶部１０１は、必ずしも商品販売サーバ１内に配置される必要はなく、他の記憶装置やＤＢ上に配置してもよい。
【００３３】
（ユーザ管理ＤＢ）
図４は、本発明の一実施形態にかかるユーザ管理ＤＢ１０１ａのデータ構成例を示す図である。ユーザ管理ＤＢ１０１ａの情報は、ユーザ登録時、ユーザにより商品販売サイトの運営者に対し、提供される登録情報である。ユーザ管理ＤＢ１０１ａの情報は、ユーザ管理部１０２により、登録・管理される。
【００３４】
ユーザ管理ＤＢ１０１ａは、図に示されるように、「会員ＩＤ」、「パスワード」、「ログイン状態」、「会員ステータス」、「氏名」、「住所」のデータ項目を有する。
【００３５】
「会員ＩＤ」、「パスワード」は、商品販売サイトを利用するユーザ会員のＩＤ（識別子）、パスワードである。本実施形態にかかる商品販売サイトで、商品を購入しようとする場合、ユーザは、一般会員（無料会員）又はプレミアム会員（有料会員）として、ユーザ登録を行う必要がある。ユーザ登録されると、「会員ＩＤ」が発行され、ユーザ管理ＤＢ１０１ａにユーザ情報が登録される。
【００３６】
「ログイン状態」は、ユーザが商品販売サイトにログイン中であるかのログイン状態を示す。ユーザは、商品販売サイトから、自身の「会員ＩＤ」、「パスワード」を入力することで、ログインできる。
【００３７】
「会員ステータス」は、会員のステータス、種別を示す。本実施形態では、一般会員（無料会員）、プレミアム会員（有料会員）がある。なお、プレミアム会員には、後述するように、より安く商品を購入できるという特典がある。
【００３８】
「氏名」、「住所」は、ユーザ登録時など、ユーザにより登録されるユーザ情報である。なお、ユーザ情報として、この他にも、例えば、性別、年齢、職業、嗜好等々の情報を登録してもよい。
【００３９】
（商品管理ＤＢ）
図５は、本発明の一実施形態にかかる商品管理ＤＢ１０１ｂのデータ構成例を示す図である。商品管理ＤＢ１０１ｂの情報は、販売者の商品を出品時、販売者により商品販売サイトの運営者に対し、提供される商品情報である。
【００４０】
商品管理ＤＢ１０１ｂａは、図に示されるように、「販売者ＩＤ」、「商品ＩＤ」、「商品詳細」、「販売数量」、「開始価格」、「最安価格」、「割引率設定」、「割引条件設定」のデータ項目を有する。
【００４１】
「販売者ＩＤ」は、商品販売サイトで商品販売を行う事業者のＩＤである。１の販売者毎に固有の「販売者ＩＤ」が付与される。
【００４２】
「商品ＩＤ」は、商品販売サイトで販売者が商品を販売する商品のＩＤである。販売者が商品を出品する毎に固有の「商品ＩＤ」が付与される。
【００４３】
「商品詳細」は、販売者が販売する商品の詳細である。販売者が商品を出品時、商品販売サイトの運営者に対し、商品詳細の情報を提供する。
【００４４】
「販売数量」は、販売者が販売する商品の数量、在庫数、ロット数である。販売者が商品を出品時、商品販売サイトの運営者に対し、数量の情報を提供する。「販売数量」の全てが販売された場合、その商品は完売となる。
【００４５】
「開始価格」は、販売する商品の開始価格である。販売者が商品を出品時、商品販売サイトの運営者に対し、開始価格の情報を提供する。例えば、開始価格は、定価であったり、販売者が通常時に販売する通常価格などでよい。商品販売サイトで商品が販売される際、この価格が、開始直後の価格として使用される。
【００４６】
「最安価格」とは、販売者が販売してもよいとする下限価格・最低価格であり、これを下回る価格では商品を売らないとする価格である。このため、商品が売れた場合には、販売者は、少なくとも「最安価格」の代金を受け取ることができる。販売者が商品を出品時、商品販売サイトの運営者に対し、開始価格の情報を提供する。本実施形態では、販売者は世間の最安価格を既知の上、その最安価格に等しいか、その近似価格を提供する。
【００４７】
「割引率設定」は、販売する商品の割引率である。本実施形態にかかる商品販売サイトでは、「割引条件設定」が満たされる毎に、「割引率設定」で設定された割引率に従って、商品の価格が割引される。販売者が商品を出品時、商品販売サイトの運営者に対し、割引率設定の情報を提供する。なお、割引率設定を大きくすると、商品の価格がより大きく割引されるので、よりユーザの購買意欲を高めるものとなる。また、「割引率設定」は、販売する商品の割引率の他、例えば、￥１０００など、一定の「割引額」としてもよい。
【００４８】
「割引条件設定」は、販売する商品の価格が割引される際、割引のタイミングを決定する割引条件の設定値である。販売者が商品を出品時、商品販売サイトの運営者に対し、割引条件設定の情報を提供する。例えば、「割引条件設定」は、「閲覧数」、「割引時間」、「販売数」などの割引条件を有する。
【００４９】
「閲覧数」は、商品ページの割引閲覧数を規定する割引条件である。このため、商品ページページの「閲覧数」がここで規定のユーザ閲覧数を満たした場合、商品の価格が割引される。「割引時間」は、割引時間を規定する割引条件である。このため、ここで規定の割引時間が経過した場合、商品の価格が割引される。「販売数」は、商品ページで販売する商品の販売数を規定する割引条件である。このため、商品ページで販売する商品の販売数がここで規定の販売数を超えた場合、商品の価格が割引される。
【００５０】
（ページ管理ＤＢ）
図６は、本発明の一実施形態にかかるページ管理ＤＢ１０１ｃのデータ構成例を示す図である。ページ管理ＤＢ１０１ｃは、ページ生成部１０３により、商品ページの生成に用いられる情報である。また、ページ管理ＤＢ１０１ｃは、ページ生成部１０３により、各情報が逐一更新される。
【００５１】
ページ管理ＤＢ１０１ｃは、図に示されるように、「ページＩＤ」、「商品ＩＤ」、「ステータス」、「現在価格」、「割引率」、「残数量」、「ログイン人数（ＰＶ）」、「次の割引までの人数」、「次の割引までの時間」、「次の割引までの販売数」のデータ項目を有する。
【００５２】
「ページＩＤ」は、商品ページのＩＤである。１の商品ページ毎に固有の「ページＩＤ」が付与される。
【００５３】
「商品ＩＤ」は、商品ページで紹介される商品のＩＤを示す。商品管理ＤＢ１０１ｂで登録されている商品の内、商品ページで紹介対象の「商品ＩＤ」がそのままここに格納される。
【００５４】
「ステータス」は、商品ページの状態を示す。例えば、開催中、準備中、終了などのステータスがある。
【００５５】
「現在価格」は、商品ページで紹介される商品の現在の価格を示す。本実施形態にかかる商品販売サイトでは、「割引条件設定」が満たされる毎に、「割引率設定」で設定された割引率に従って、商品の価格が割引される。「現在価格」は、商品管理ＤＢ１０１ｂの「開始価格」を始値とし、割引条件が適用される毎に、「開始価格」に割引率を乗算することにより、逐一更新される（価格算出手段）。
【００５６】
「割引率」は、商品ページで紹介される商品の現在の割引率を示す。商品管理ＤＢ１０１ｂの「割引率設定」を始値とし、割引条件が適用される毎に、更新される。
【００５７】
「残数量」は、商品ページで紹介される商品の残こり数量を示す。残数０となると、完売となる。「残数量」は、商品管理ＤＢ１０１ｂの「販売数量」を始値とし、販売管理ＤＢ１０１ｄの情報を参照し、商品が販売される毎に、「販売数量」から販売数を減算することにより、逐一更新される（数量算出手段）。
【００５８】
「ログイン人数（ＰＶ）」は、商品ページのユーザ・ログイン数を示す。ユーザ管理ＤＢ１０１ａの「会員ステータス」に基づいて、ユーザがログインする毎に、逐一更新（カウントアップ）される。
【００５９】
「次の値下げまでの人数」は、販売する商品の価格が割引される際、次の値下げ（割引）までの人数を示す現時点での割引条件である。商品管理ＤＢ１０１ｂの「閲覧数」を始値とし、ユーザ管理ＤＢ１０１ａの「会員ステータス」に基づいて、ユーザがログインする毎に、逐一更新（カウントダウン）される。
【００６０】
「次の値下げまでの時間」は、販売する商品の価格が割引される際、次の値下げ（割引）までの時間を示す現時点での割引条件である。商品管理ＤＢ１０１ｂの「割引時間」を始値とし、時間経過と共に、逐一更新（カウントダウン）される。
【００６１】
「次の値下げまでの販売数」は、販売する商品の価格が割引される際、次の値下げ（割引）までの販売数を示す現時点での割引条件である。商品管理ＤＢ１０１ｂの「販売数」を始値とし、販売管理ＤＢ１０１ｄの情報を参照し、商品が販売される毎に、逐一更新（カウントダウン）される。
【００６２】
（販売管理ＤＢ）
図７は、本発明の一実施形態にかかる販売管理ＤＢ１０１ｄのデータ構成例を示す図である。販売管理ＤＢ１０１ｄは、商品販売サイトの商品ページから商品が購入された場合、販売管理部１０４により、逐一更新され、商品の販売管理に用いられる情報である。
【００６３】
販売管理ＤＢ１０１ｄは、図に示されるように、「ページＩＤ」、「商品ＩＤ」、「会員ＩＤ」、「販売価格」、「割引率」、「補充額」のデータ項目を有する。
【００６４】
「ページＩＤ」は、商品販売サイトの商品ページから商品が購入された場合、その商品ページのＩＤを示す。
【００６５】
「商品ＩＤ」は、商品販売サイトの商品ページから商品が購入された場合、その商品のＩＤを示す。
【００６６】
「会員ＩＤ」は、商品購入を行ったユーザの「会員ＩＤ」を示す。
【００６７】
「販売価格」は、購入された商品の販売価格を示す。ユーザの支払額である。上述のように、商品の価格は、変動するため、その商品購入時の「現在価格」がここに格納される。
【００６８】
「最安価格」は、購入された商品の「最安価格」を示す。商品管理ＤＢ１０４ｂの「最安価格」がここに格納される。
【００６９】
「補充額」は、「販売価格」＜「最安価格」の場合、「販売価格」−「最安価格」を示す。上述したように、「最安価格」は、販売者が販売してもよいとする下限価格・最低価格である。よって、実際にユーザに販売した「販売価格」が「最安価格」よりも低い場合、販売者から見ると、赤字が生じる。本実施形態において後述するように、「販売価格」と「最安価格」との差額は、商品販売サイトの運営者側が補填するため、その差額分を「補充額」として計上する。なお、「販売価格」≧「最安価格」の場合、「補充額」は、￥０となる。
【００７０】
＜概要＞
図８は、商品販売サイトの商品販概要１を示す図である。
【００７１】
本実施形態にかかる商品販売サイトは、「閲覧数」、「割引時間」、又は「販売数」などの割引条件が満たされる毎に、「割引率」が、商品の価格に適用され、商品の価格は、段階的に下がっていくプライスダウン方式を有する。また、商品の価格が、市場の最安価格などのある一定の価格ラインまで到達すると、それ以降、商品販売サイトを利用可能とするユーザを制限し、具体的には、プレミアム会員のみが、それ以降、商品販売サイトを利用することが可能とする。
【００７２】
商品販売サイトでは、一定の価格ラインまで到達した後も、「閲覧数」、「割引時間」、又は「販売数」などの割引条件が満たされる毎に、「割引率」が、商品の価格に適用され、商品の価格は、段階的に下がっていく。このため、プレミアム会員のみが、市場の最安価格などのある一定の価格ラインよりも、安価な価格で商品を購入することが可能となる。
【００７３】
図９は、商品販売サイトの商品販概要２を示す図である。
【００７４】
ここで、市場の最安価格ラインよりも、安価な価格で商品を販売した場合、販売者は、最安価格との差額分（赤字額）が発生するが、商品販売サイトの運営者は、販売者に対し、市場の最安価格での販売を約束する。つまり、商品販売サイトの運営者は、市場最安価格以下で商品が販売された場合、販売者に対し、最安価格との差額分（赤字額）の補填を約束する。
【００７５】
以上により、ユーザサイド、販売者サイド、運営者サイドは、以下のようなメリットを享受することができる。
【００７６】
（１）ユーザサイドのメリット
・商品をより安く購入できる可能性がある。
・また、市場の最安価格よりも、安く購入できる可能性がある。
・また、本実施形態にかかる商品販売サイトは、「閲覧数」、「割引時間」、又は「販売数」などの割引条件が満たされる毎に、商品の価格は、段階的に下がっていくので、ユーザは楽しみながら一定のゲーム性をもってショッピングができる。
【００７７】
（２）販売者サイドのメリット
・市場の最安価格よりも安い価格で商品を販売できるので、商品を完売できる可能性が高まる。
・販売価格は、市場の最安価格ラインを確保できる。
・また、本実施形態にかかる商品販売サイトの商品は、高い注目度が期待できるので、新商品など、プロモーションにも有効である。
【００７８】
（３）運営者サイドのメリット
・市場の最安価格ライン以降の閲覧及び購入は、プレミアム会員限定とする仕組みのため、新規プレミアム会員の獲得の増加を図ることができる。
【００７９】
（４）補足事項
・本実施形態にかかる商品販売サイトでは、商品の数量を限定しつつ、多くのユーザが見ていることを訴求する割引条件（「閲覧数」、「割引時間」、又は「販売数」）を適用するので、「今買わなくては買えないかもしれない。」という、モノと時間の希少性に訴える。つまり、商品の価格はどこまで下がるかは分からない一方、売り切れになる場合もあるため、ゲーム性をもってユーザの購買意欲を高めることができる。
・現在価格は最安価格よりも安価にある場合、「残り個数」１００５に示されるように、商品の「残数量」も残り少なくなってくることもあって、待機しすぎると、他ユーザに先を越され、購入機会を逃しかねない。ユーザ側では「今買わなければ買えないかもしれない」というユーザ心理が働く。
・よって、現実的には、商品の現在価格は最安価格よりも大きく乖離した価格まで到達する可能性は低く、商品の現在価格が最安価格に等しいか、おおよそ最安価格よりも１段階又は２段階程度値下りした価格（例えば、最安価格より５〜１０％値下がりした価格）で、商品は完売する可能性は高い。このため、運営者は、市場最安価格以下で商品が販売された場合であっても、最安価格との差額分（赤字額）の補填を出きる限り小さく抑制できる仕組みである。
【００８０】
＜商品販売サイトの画面例＞
（画面例１）
図１０は、本発明の一実施形態にかかる商品販売サイトの商品ページの画面例１である。商品販売サイトの画面は、ページ管理ＤＢ１０１ｃの情報に基づいて生成される。以下、画面１０００を詳しく説明する。
【００８１】
ログイン状態欄１００１は、ユーザのログイン状態を示す。「非ログイン」と表示される場合、ユーザ・ログインはなされていないことを示す。
【００８２】
「商品名」１００２は、商品の「商品名」を示す。ページ管理ＤＢ１０１ｃの「商品ＩＤ」をキーとし、商品管理ＤＢ１０１ｂの「商品名」から取得される。
【００８３】
「商品詳細」１００３は、商品の「商品詳細」を示す。ページ管理ＤＢ１０１ｃの「商品ＩＤ」をキーとし、商品管理ＤＢ１０１ｂの「商品詳細」から取得される。
【００８４】
「定価」１００４は、商品の「開始価格」（例えば、定価）を示す。ページ管理ＤＢ１０１ｃの「商品ＩＤ」をキーとし、商品管理ＤＢ１０１ｂの「開始価格」から取得される。
【００８５】
「残り個数」１００５は、商品の「残数量」を示す。ページ管理ＤＢ１０１ｃの「残数量」から取得される。
【００８６】
「現在の価格（割引率）」１００６は、商品の「開始価格」からスタートし、現在時点における商品の「現在価格」と「割引率」を示す。但し、ユーザ・ログインはなされていない場合、具体的な商品の「現在価格」と「割引率」は、非表示となっている。ページ管理ＤＢ１０１ｃの「現在の価格」、「割引率」から取得される。
【００８７】
「ログイン」１００７は、ログイン・ボタンを示す。ログイン・ボタンは、ユーザ・ログインがなされていない場合、ユーザ・ログインを促すべく、表示される。ユーザは、ログイン・ボタンを押下して、ログイン画面（非図示）へ進み、自身の「会員ＩＤ」、「パスワード」を入力することで、ログインできる。ユーザ管理ＤＢ１０１ａの「会員ステータスから取得される。なお、ログイン画面（非図示）は、非会員のユーザに対して提供される会員登録画面を兼ねてもよい。
【００８８】
「次の値下げまでのログイン人数」１００８は、商品の割引条件の一つであり、「次の値下の条件となるログイン人数」を示す。表示されるログイン数を満たすと、「現在の価格（割引率）」１００６の価格に対し値引きがなされる。なお、本実施形態において、ログイン人数は、ＰＶ（ページビュー）、即ち、閲覧数をカウントする指標とする。つまり、ログイン人数が多いほど、多くのユーザがページを閲覧していることを意味する。勿論、ログイン人数に代え、アクセスカウンタを用いたアクセス数、お気に入り登録数などを、閲覧数をカウントする指標とすることも可能である。ページ管理ＤＢ１０１ｃの「次の値下げまでのログイン人数」から取得される。
【００８９】
「次の値下げまでの時間」１００９は、商品の割引条件の一つであり、「次の値下げまでの残り時間」を示す。表示される時間が経過すると、「現在の価格（割引率）」１００６の価格に対し値引きがなされる。ページ管理ＤＢ１０１ｃの「次の値下げまでの時間」から取得される。
【００９０】
「次の値下げまでの販売数」１０１０は、商品の割引条件の一つであり、「次の値下げの条件となる販売商品数」を示す。表示される販売数の販売が達成されると、「現在の価格（割引率）」１００６の価格に対し値引きがなされる。ページ管理ＤＢ１０１ｃの「次の値下げまでの販売数」から取得される。
【００９１】
画面１０００において、ユーザ・ログインはなされていないので、「現在の価格（割引率）」１００６は、表示されていない。ユーザは、「現在の価格（割引率）」１００６を閲覧（表示）する場合、「ログイン」１００７を押下して、ログイン画面（非図示）へ進み、自身の「会員ＩＤ」、「パスワード」を入力する必要がある。
【００９２】
（画面例２）
図１１は、本発明の一実施形態にかかる商品販売サイトの商品ページの画面例２である。画面１１００は、画面１０００からのユーザ・ログイン後の遷移画面である。
【００９３】
画面１０００と比較すると、画面１１００において、ログイン状態欄１００１は、「ようこそ○○さん（一般会員）」と表示されている。これは、ユーザ・ログインがなされた状態であることを示す（但し、一般会員とする）。また、ユーザ・ログインがなされたことにより、「現在の価格（割引率）」１００６が表示されている。このため、ユーザは、商品の「現在の価格（割引率）」を認識し、商品を購入しようとする場合、「商品を購入する」１０１１を押下して、商品を購入可能な商品購入画面（非図示）へ進み、商品購入の申し込みや手続きを行い、商品を購入できる。なお、「商品を購入する」１０１１には、商品購入画面へ遷移するためのリンク情報（例えば、URL等）が埋め込まれている。
【００９４】
一方、商品を購入したいものの、より安い価格で購入しようとするユーザは、商品の割引条件が適用されて、商品の価格が値下がりする迄、暫く待機することができる。
【００９５】
なお、次に商品の価格が値下がりには、あと３００００人のユーザがログインするか、あと１５分２２秒経過するか、あと４個商品が販売されるかの、いずれかが満たされるまで、待機が必要である。
【００９６】
（画面例３）
図１２は、本発明の一実施形態にかかる商品販売サイトの商品ページの画面例３である。画面１２００は、画面１１００からの商品の割引条件適用直後の遷移画面である。
【００９７】
画面１２００において、「現在の価格（割引率）」１００６は、ログインユーザが一般会員の場合、具体的な商品の「現在価格」と「割引率」は、非表示となっている。代わりに、「プレミアム会員に登録」１０１２が表示されている。
【００９８】
「プレミアム会員に登録」１０１２は、プレミアム会員への会員登録ボタンを示す。ログインユーザが一般会員の場合、プレミアム会員登録を促すべく、表示される。一般会員のユーザは、プレミアム会員登録・ボタンを押下して、プレミアム会員登録画面（非図示）へ進み、プレミアム会員登録の手続きを行い、プレミアム会員登録に登録（入会）できる。
【００９９】
ここで、通常、商品の「現在価格」が、例えば、最安価格まで値下がりすると、商品購入の殺到が予想される。ユーザは、他店舗等での商品価格相場を熟知しているとすれば、本商品販売サイトでは、どこよりも最も安く商品を購入できるためである。そこで、本実施形態では、商品の価格の値下がりが進み、商品の「現在価格」が一定の価格（例えば、最安価格）まで値下がりすると、ログインユーザが一般会員の場合、「現在の価格（割引率）」１００６の表示をクローズさせる。以降は、プレミア会員のみ、商品販売サイトを利用することが可能となるので、新規のプレミアム会員の獲得の増加を図ることができる。
【０１００】
なお、図１２の画面１２００において、「プレミアム会員に登録」１０１２の他、例えば、「プレミアム会員に登録して商品を購入」とのボタンを表示してもよい。これにより、ユーザは、プレミアム会員への会員登録後、続けて、商品購入の手続きを行い、商品を購入できる。但し、会員登録の間、商品が完売してしまい、その結果、商品を購入できなくなることを防止するため、プレミアム会員に登録して商品を購入」とのボタン押下時点で、商品を１つ確保しておくとよい（残数量を１つ減算）。
【０１０１】
（画面例４）
図１３は、本発明の一実施形態にかかる商品販売サイトの商品ページの画面例４である。画面１３００は、画面１３００からのプレミアム会員でのユーザ・ログイン後の遷移画面である。
【０１０２】
画面１２００と比較すると、画面１３００において、ログイン状態欄１００１は、「ようこそ○○さん（プレミアム会員）」と表示されている。これは、プレミアム会員のユーザ・ログインがなされた状態であることを示す。また、プレミアム会員のユーザ・ログインがなされたことにより、「現在の価格（割引率）」１００６が表示されている。このため、ユーザは、商品の「現在の価格（割引率）」を認識し、商品を購入しようとする場合、「商品を購入する」１０１１を押下して、商品購入画面（非図示）へ進み、商品購入の手続きを行い、商品を購入できる。
【０１０３】
また、商品を購入したいものの、より安い価格で購入しようとするユーザ（プレミアム会員）は、商品の割引条件が適用されて、商品の価格が最安価格よりも、さらに値下がりする迄、暫く待機することができる。
【０１０４】
但し、商品の価格は最安価格よりも安価であると共に、「残り個数」１００５に示されるように、商品の「残数量」は残り少なくなってくるので、待機しすぎると、他ユーザに先を越され、購入機会を逃しかねない。ユーザ側では「今買わなければ買えないかもしれない。」というユーザ心理が働くため、ユーザ購入促進（商品販売促進）を誘引することができる。
【０１０５】
図１４は、本発明の一実施形態にかかる価格と会員ステータスとの関係を説明する図である。
【０１０６】
商品販売サイトにおいて、商品販売開始時点ｔ０、商品の価格は、開始価格Ｐ０（＝現在価格）からスタートする。商品の現在価格は、割引条件が満たされる毎に、値下がりしていく。なお、上述しているように、割引条件は、「閲覧数」、「割引時間」、又は「販売数」などがある。商品の現在価格は、「閲覧数」又は「販売数」の割引条件が満たされた場合にも、値下がりするので、必ずしも一定時間間隔とは限られない。むしろ、現在価格が低くなるにつれ、「閲覧数」及び「販売数」は、加速的に増加するので、値下がりの時間間隔は短くなっていく可能性が高い。
【０１０７】
商品の現在価格が値下がりしてゆき、商品の現在価格が最安価格Ｐ１に到達した時点ｔ１以降は、上述したように、商品販売サイトを閲覧し商品を購入できるのは、プレミアム会員のみに限定される。
【０１０８】
また、時点ｔ１以降も、同様に商品の割引条件が適用されて、商品の現在価格が最安価格Ｐ１よりも、さらに値下がりしうる。しかしながら、現在価格は最安価格Ｐ０よりも安価にある場合、「残り個数」１００５に示されるように、商品の「残数量」も残り少なくなってくることもあって、待機しすぎると、他ユーザに先を越され、購入機会を逃しかねない。ユーザ側では「今買わなければ買えないかもしれない。」というユーザ心理が働くためである。
【０１０９】
よって、現実的には、商品の現在価格は最安価格Ｐ１よりも大きく乖離した価格まで到達する可能性は低く、商品の現在価格が最安価格Ｐ１に等しいか、おおよそ最安価格Ｐ１よりも１段階又は２段階程度値下りした価格で、商品は完売する可能性は高い。このため、運営者は、市場最安価格以下で商品が販売された場合であっても、最安価格との差額分（赤字額）の補填を出きる限り小さく抑制できる。
【０１１０】
＜動作＞
次に、本実施形態にかかる商品販売サーバ１の処理動作について説明する。
【０１１１】
図１５は、本実施形態にかかる商品販売サーバ１のページ生成処理例を示すシーケンス図である。以下、図面を参照しながら、詳しく説明する。なお、ページ生成の前提として、上述したように、ユーザ管理ＤＢ１０１ａ、商品管理ＤＢ１０１ｂ、ページ管理ＤＢ１０１ｃ、販売管理ＤＢ１０１ｄの各ＤＢ１０１は、逐一最新の情報状態に更新されているものとする。
【０１１２】
Ｓ１：ページ生成部１０３は、ユーザ端末３から商品購入サイトの商品ページの生成要求を受信すると、まず、ユーザ管理ＤＢ１０１ａを参照し、ユーザの「ログイン状態」を取得し、「ログイン状態」は、ＯＮか否かを判定する。なお、商品ページの生成要求は、例えば、クッキー情報等の「会員ＩＤ」や、ＵＲＬを含む。
【０１１３】
ＯＮの場合、Ｓ２へ進む。一方、ＯＮでない場合、Ｓ６へ進む。また、商品ページの生成要求元のユーザ（「会員ＩＤ」）を確認できない場合も、ＯＮでないとして、Ｓ６へ進む。
【０１１４】
Ｓ２：次に、ページ生成部１０３は、ＵＲＬからページＩＤを特定の上、ページ管理ＤＢ１０１ｃを参照し、「現在価格」を取得する。また、ページ管理ＤＢ１０１ｃの「商品ＩＤ」をキーとして、商品管理ＤＢ１０１ｂの「最安価格」を取得する。そして、ページ生成部１０３は、「現在価格」が「最安価格」以下であるか否かを判定する。
【０１１５】
「現在価格」が「最安価格」以下の場合、Ｓ３へ進む。一方、「現在価格」が「最安価格」以下でない場合、Ｓ４へ進む。
【０１１６】
Ｓ３：次に、ページ生成部１０３は、ユーザ管理ＤＢ１０１ａを参照し、Ｓ１でログイン・ユーザと判定されたユーザの「会員ステータス」を取得し、「会員ステータス」は、プレミアム会員か否かを判定する。
【０１１７】
「会員ステータス」がプレミアム会員の場合、Ｓ４へ進む。一方、「会員ステータス」がプレミアム会員でない場合、Ｓ５へ進む。
【０１１８】
Ｓ４：ページ生成部１０３は、ページ管理ＤＢ１０１ｃを参照し、「現在の価格（割引率）」１００６を表示する商品ページを生成する。例えば、「現在価格」が「最安価格」よりも高く、ユーザが一般会員又はプレミアム会員の場合、図１１の商品ページが表示される。また、例えば、「現在価格」が「最安価格」以下で、ユーザがプレミアム会員の場合、図１３の商品ページが表示される。
【０１１９】
Ｓ５：ページ生成部１０３は、ページ管理ＤＢ１０１ｃを参照し、「現在の価格（割引率）」１００６を非表示し、プレミアム会員登録・ボタン（「プレミアム会員に登録」１０１２）を含む商品ページを生成する。例えば、「現在価格」が「最安価格」以下で、ユーザが一般会員の場合、図１２の商品ページが表示される。
【０１２０】
ここで、「現在の価格（割引率）」１００６を非表示にしているが、「現在価格」が「最安価格」以下の場合に一般会員への販売を制限する構成であれば、必ずしも非表示にしなくでもよく、現在の価格を表示してもよい。相場の最安価格以下であることを一般会員へ提示することで新規プレミアム会員の入会をさらに促進することができる。
【０１２１】
Ｓ６：ページ生成部１０３は、ページ管理ＤＢ１０１ｃを参照し、「現在の価格（割引率）」１００６を非表示し、ログイン・ボタン（「ログイン」１００７）を含む商品ページを生成する。例えば、「現在価格」が「最安価格」よりも高く、ユーザが非ログイン状態の場合、図１０の商品ページが表示される。
【０１２２】
（補足）
本実施形態では、割引条件として、「閲覧数」、「割引時間」、又は「販売数」を用いて説明した。この他の割引条件として、「閲覧数」又は「販売数」の加速度（単位時間当りの増分数）を用いてもよい。急激に「閲覧数」又は「販売数」の加速度が伸びている場合、現在価格が「最安価格」に近いと想定されうる。このため、「閲覧数」又は「販売数」の加速度が例えば「加速度設定」を満たす場合、「現在価格」が「最安価格」以下と見なす（図１６のＳ３）。この場合、以降は、プレミア会員のみ、商品販売サイトを利用することが可能となるので、新規のプレミアム会員の獲得の増加を図ることができる。
【０１２３】
＜総括＞
以上、本実施形態にかかる商品販売サーバ１によれば、消費者、販売者、運営者にとって、よりメリットのある販売システムを実現することが可能である。
【０１２４】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【０１２５】
例えば、本実施形態では、非会員（非ログイン）、一般会員及びプレミアム会員の「会員ステータス」を用いて説明した。しかし、「会員ステータス」は、例えば、非会員及び会員の２種類とし、非会員を一般会員相当と、会員をプレミアム会員相当と見立ててもよい。
【符号の説明】
【０１２６】
１        商品販売サーバ
２        販売者端末
３        ユーザ端末
４        ネットワーク
１１        ＣＰＵ
１２        ＲＯＭ
１３        ＲＡＭ
１４        入力装置
１５        出力装置
１６        通信装置
１７        ＨＤＤ
１０１    記憶部
１０１ａ    ユーザ管理ＤＢ
１０１ｂ    商品管理ＤＢ
１０１ｃ    ページ管理ＤＢ
１０１ｄ    販売管理ＤＢ
１０２    ユーザ管理部
１０３    ページ生成部
１０４    販売管理部
【図１】
2014178729.tif 000003
【図２】
2014178729.tif 000004
【図３】
2014178729.tif 000005
【図４】
2014178729.tif 000006
【図５】
2014178729.tif 000007
【図６】
2014178729.tif 000008
【図７】
2014178729.tif 000009
【図８】
2014178729.tif 000010
【図９】
2014178729.tif 000011
【図１０】
2014178729.tif 000012
【図１１】
2014178729.tif 000013
【図１２】
2014178729.tif 000014
【図１３】
2014178729.tif 000015
【図１４】
2014178729.tif 000016
【図１５】
2014178729.tif 000017